(57)【要約】【課題】  複数の携帯端末装置に対して音声や画像を含む大容量のコンテンツのデータを同報配信するサービスからのデータを好適に受信できる携帯端末装置及び携帯端末制御方法を提供する。【解決手段】  復号処理を終えてＲＬＣ１５に送られてきたデータに付加されているヘッダの番号が連続しているか否かを監視し、所定時間の監視の結果、ヘッダの番号に欠陥が無かったことを検出し、その検出結果及び受信信号とパイロット信号の拡散符号との相関を取ることにより検出されたマルチパスのタイミングから各フィンガでどの基地局からデータを受信するかを決定することにより、データの逆拡散、ＲＡＫＥ受信、復号処理の停止により、該処理に費やされる電力を低減する。【選択図】  図１
2006086658.tif 000002
【特許請求の範囲】
【請求項１】
複数の基地局からデータを受信する受信手段と、前記受信手段によって受信した前記データを逆拡散する逆拡散手段と、前記逆拡散手段によって逆拡散された同一の前記基地局からの前記データを合成する合成手段と、前記合成手段によって合成された前記データを復号する復号手段と、前記復号手段によって復号された前記データを選択合成する選択合成手段と、前記選択合成手段によって選択合成された前記データから欠陥を検出する検出手段と、携帯端末装置全体の動作を制御する制御手段とを有する携帯端末装置において、
前記逆拡散手段、前記合成手段、前記復号手段、前記選択合成手段、及び前記検出手段の処理に要する時間を計測する第１の計測手段と、
前記一つの基地局からの前記データの受信を開始してから前記他の基地局からの前記データの受信を開始するまでのオフセット時間を計測するオフセット時間計測手段とを有し、
前記検出手段によって前記データから前記欠陥が検出されず、かつ前記第１の計測手段によって計測された時間が前記オフセット時間より短いとき、前記制御手段は、他の前記基地局からの前記データに対する前記逆拡散手段、前記合成手段、及び前記復号手段による処理を停止することを特徴とする携帯端末装置。
【請求項２】
前記合成手段、前記復号手段、前記検出手段、及び前記選択合成手段の処理に要する時間を計測する第２の計測手段と、
前記検出手段によって前記データから前記欠陥が検出されず、かつ前記第２の計測手段によって計測された時間が前記オフセット時間より短いとき、前記制御手段は、前記合成手段、及び前記復号手段による処理を停止することを特徴とする請求項１記載の携帯端末装置。
【請求項３】
前記復号手段、前記検出手段、及び前記選択合成手段の処理に要する時間を計測する第３の計測手段と、
前記検出手段によって前記データから前記欠陥が検出されず、かつ前記第３の計数手段によって計測された時間が前記オフセット時間より短いとき、前記制御手段は、前記復号手段による処理を停止することを特徴とする請求項１又は２記載の携帯端末装置。
【請求項４】
前記データは、その順序を示すシーケンス番号を有し、
前記検出手段は、前記シーケンス番号から前記欠陥を検出することを特徴とする請求項１から３のいずれか１項記載の携帯端末装置。
【請求項５】
前記検出手段によって前記欠陥が検出されたとき、前記制御手段は、前記全ての手段における処理を再開することを特徴とする請求項１から４のいずれか１項記載の携帯端末装置。
【請求項６】
前記検出手段は、前記欠陥を所定時間監視することを特徴とする請求項１から５のいずれか１項記載の携帯端末装置。
【請求項７】
複数の基地局からデータを受信する受信手段と、前記受信手段によって受信した前記データを逆拡散する逆拡散手段と、前記逆拡散手段によって逆拡散された同一の前記基地局からの前記データを合成する合成手段と、前記合成手段によって合成された前記データを復号する復号手段と、前記復号手段によって復号された前記データを選択合成する選択合成手段と、前記選択合成手段によって選択合成された前記データから欠陥を検出する検出手段と、携帯端末装置全体の動作を制御する制御手段とを有する携帯端末装置の携帯端末制御方法において、
前記逆拡散手段、前記合成手段、前記復号手段、前記検出手段、及び前記選択合成手段の処理に要する時間を計測する第１の計測工程と、
一つの前記基地局からの前記データの受信を開始してから他の前記基地局からの前記データの受信を開始するまでのオフセット時間を計測するオフセット時間計測工程とを有し、
前記検出手段によって前記データから前記欠陥が検出されず、かつ前記第１の計数工程によって計測された時間が前記オフセット時間より短いとき、前記前記制御手段は、他の前記基地局からの前記データに対する前記逆拡散手段、前記合成手段、及び前記復号手段による処理を停止することを特徴とする携帯端末制御方法。
【請求項８】
前記合成手段、前記復号手段、前記検出手段、及び前記選択合成手段の処理に要する時間を計測する第２の計測工程と、
前記検出手段によって前記データから前記欠陥が検出されず、かつ第２の計測工程において計測された時間が前記オフセット時間より短いとき、前記制御手段は、前記合成手段、及び前記復号手段による処理を停止することを特徴とする請求項７記載の携帯端末制御方法。
【請求項９】
前記復号手段、前記検出手段、及び前記選択合成手段の処理に要する時間を計測する第３の計測工程と、
前記検出手段によって前記データから前記欠陥が検出されず、かつ前記第３の計数工程によって計測された時間が前記オフセット時間より短いとき、前記制御手段は、前記復号手段による処理を停止することを特徴とする請求項７又は８記載の携帯端末制御方法。
【請求項１０】
前記データは、その順序を示すシーケンス番号を有し、
前記検出手段は、前記シーケンス番号から前記欠陥を検出することを特徴とする請求項７から９のいずれか１項記載の携帯端末制御方法。
【請求項１１】
前記検出手段によって前記欠陥が検出されたとき、前記制御手段は、前記全ての手段における処理を再開することを特徴とする請求項７から１０のいずれか１項記載の携帯端末制御方法。
【請求項１２】
前記検出手段は、前記欠陥を所定時間監視することを特徴とする請求項７から１１のいずれか１項記載の携帯端末制御方法。
【発明の詳細な説明】
【技術分野】
【０００１】
本発明は、複数の携帯端末装置に対して音声や画像を含む大容量のコンテンツのデータを同報配信するサービスからのデータを好適に受信できる携帯端末装置及び携帯端末制御方法に関する。
【背景技術】
【０００２】
移動通信システムには、複数の携帯端末装置に対して、音声や画像を含む大容量の同一コンテンツのデータを同報配信するサービスがあり、ＭＢＭＳ（Multimedia Broadcast Multicast Service）と称されている。
【０００３】
ＭＢＭＳは、放送型サービスの場合、多数の携帯端末が共通の一つのチャンネル（以下、共通チャンネルとする）を受信しているため、個々の携帯端末の受信品質に応じて共通チャンネルの電力を制御することができない。そのため、共通チャンネルで配信されてくるデータごとの受信動作の制御ができない。例えば、基地局と基地局との境界付近においては、受信信号の品質が劣化するため、携帯端末は複数の基地局から一定期間ずらして同じデータを受信し、各基地局からの信号を復号し、品質の良いデータを選択する（以下、選択合成法とする）。
【０００４】
例えば、一方の基地局から送られてきたデータを正常に受信・復号できなかった場合でも、後に他方の基地局から送られてくるデータを正常に受信・復号できれば、データの欠陥がない方を選択できるため、基地局の境界付近における受信信号の品質を向上することができる。
【０００５】
特許文献１では、一斉通報が行われる際に該一斉通報を識別する一斉通報識別情報が受信装置に送信され、受信装置側で記憶し、受信装置は一斉通報の開始時に中継手段から一斉通報識別情報を受信し、該情報と既に記憶済みの一斉通報識別情報とを比較し、両者が一致する場合に受信を制限することにより、受信装置が同一の一斉通報を複数回受信することを防止できる一斉通報システムが提案されている。
【０００６】
特許文献２では、複数の基地局装置の通信を行うソフトハンドオーバの際に、複数の基地局装置からの下り回線信号の品質を判定し、下り回線信号の品質の良い基地局装置を次の選択合成単位の送信局と選択するため、良好な品質の受信することができる通信端末装置が提案されている。
【０００７】
特許文献３では、ＡＡＬ５によるデータ転送中に、無線伝送区間にフェージングによる伝送品質劣化や受信レベル劣化が発生し、ＡＡＬ５のＣＰＣＳレイヤより上位のレイヤでの再送処理に失敗し、バースト性のセル欠陥が発生した場合に、欠落したセル以降のセルデータの送出を停止すること、欠落したセル以前のセル数情報をセルデータに付与することにより、後段のＡＴＭバックボーンネットワークへの不要なトラヒックの混入を防止でき、且つＡＴＭバックボーンネットワークで不要なトラヒック分の課金を非課金とし、ＡＴＭバックボーンネットワークのネットワーク使用効率の向上を図ることができるＡＴＭセル転送制御方法及び転送制御方式が提案されている。
【特許文献１】特開２０００−１１５０７０号公報
【特許文献２】特開２００１−１０３５２９号公報
【特許文献３】特開平１１−２８４６３５号公報
【発明の開示】
【発明が解決しようとする課題】
【０００８】
しかし、上記の発明は以下の問題を有している。
【０００９】
ＭＢＭＳによって配信されたデータの選択合成法は、ある基地局から先に送られてきたデータを適切に受信・復号できた場合でも、異なる基地局から後に送られてきた同じデータの受信・復号を行い、上位レイヤであるＲＬＣ（Radio Link Control）において既に同じデータが存在するか否かが判断され、同じデータであると判断された場合は、データが破棄される。したがって、結果的に同じデータに係るデータの受信・復号処理が複数回行われていた。
【００１０】
特許文献１記載の発明は、一斉通報の開始時に中継手段から一斉通報識別情報を受信し、該情報と既に記憶済みの一斉通報識別情報とを比較し、両者が一致する場合に受信を制限することにより、受信装置が同一の一斉通報を複数回受信することを防止しているが、先に送られてきた該情報が正常に受信できたか否かに係らず、後に送られてきた情報の受信を拒否するため、情報の品質が低下する場合がある。
【００１１】
特許文献２記載の発明は、複数の基地局装置の通信を行うソフトハンドオーバの際に、複数の基地局装置からの下り回線信号の品質を判定し、下り回線信号の品質の良い基地局装置を次の選択合成単位の送信局と選択するため、品質の良い回線信号を受信することができるが、同じデータについて複数の受信・復号処理が実行される。
【００１２】
特許文献３記載の発明は、受信したデータに欠陥が発生した場合、欠陥が発生した以降のデータの受信を中止することにより、不要なデータの受信を防止し、ネットワークの使用効率を向上させているが、正常なデータを受信することができない。
【００１３】
本発明は、あるデータが正常に受信された時点で、異なる基地局から遅れて配信されてきた同じデータの受信・復号処理を停止することにより、データの受信・復号処理に費やされる電力を低減する携帯端末装置及び携帯端末制御方法を提供することを目的としている。
【課題を解決するための手段】
【００１４】
請求項１記載の発明は、複数の基地局からデータを受信する受信手段と、前記受信手段によって受信した前記データを逆拡散する逆拡散手段と、前記逆拡散手段によって逆拡散された同一の前記基地局からの前記データを合成する合成手段と、前記合成手段によって合成された前記データを復号する復号手段と、前記復号手段によって復号された前記データを選択合成する選択合成手段と、前記選択合成手段によって選択合成された前記データから欠陥を検出する検出手段と、携帯端末装置全体の動作を制御する制御手段とを有する携帯端末装置において、前記逆拡散手段、前記合成手段、前記復号手段、前記選択合成手段、及び前記検出手段の処理に要する時間を計測する第１の計測手段と、前記一つの基地局からの前記データの受信を開始してから前記他の基地局からの前記データの受信を開始するまでのオフセット時間を計測するオフセット時間計測手段とを有し、前記検出手段によって前記データから前記欠陥が検出されず、かつ前記第１の計測手段によって計測された時間が前記オフセット時間より短いとき、前記制御手段は、他の前記基地局からの前記データに対する前記逆拡散手段、前記合成手段、及び前記復号手段による処理を停止することを特徴とする。
【００１５】
請求項２記載の発明は、請求項１記載の携帯端末装置において、前記合成手段、前記復号手段、前記検出手段、及び前記選択合成手段の処理に要する時間を計測する第２の計測手段と、前記検出手段によって前記データから前記欠陥が検出されず、かつ前記第２の計測手段によって計測された時間が前記オフセット時間より短いとき、前記制御手段は、前記合成手段、及び前記復号手段による処理を停止することを特徴とする。
【００１６】
請求項３記載の発明は、請求項１又は２記載の携帯端末装置において、前記復号手段、前記検出手段、及び前記選択合成手段の処理に要する時間を計測する第３の計測手段と、前記検出手段によって前記データから前記欠陥が検出されず、かつ前記第３の計数手段によって計測された時間が前記オフセット時間より短いとき、前記制御手段は、前記復号手段による処理を停止することを特徴とする。
【００１７】
請求項４記載の発明は、請求項１から３のいずれか１項記載の携帯端末装置において、前記データは、その順序を示すシーケンス番号を有し、前記検出手段は、前記シーケンス番号から前記欠陥を検出することを特徴とする。
【００１８】
請求項５記載の発明は、請求項１から４のいずれか１項記載の携帯端末装置において、前記検出手段によって前記欠陥が検出されたとき、前記制御手段は、前記全ての手段における処理を再開することを特徴とする。
【００１９】
請求項６記載の発明は、請求項１から５のいずれか１項記載の携帯端末装置において、前記検出手段は、前記欠陥を所定時間監視することを特徴とする。
【００２０】
請求項７記載の発明は、複数の基地局からデータを受信する受信手段と、前記受信手段によって受信した前記データを逆拡散する逆拡散手段と、前記逆拡散手段によって逆拡散された同一の前記基地局からの前記データを合成する合成手段と、前記合成手段によって合成された前記データを復号する復号手段と、前記復号手段によって復号された前記データを選択合成する選択合成手段と、前記選択合成手段によって選択合成された前記データから欠陥を検出する検出手段と、携帯端末装置全体の動作を制御する制御手段とを有する携帯端末装置の携帯端末制御方法において、前記逆拡散手段、前記合成手段、前記復号手段、前記検出手段、及び前記選択合成手段の処理に要する時間を計測する第１の計測工程と、一つの前記基地局からの前記データの受信を開始してから他の前記基地局からの前記データの受信を開始するまでのオフセット時間を計測するオフセット時間計測工程とを有し、前記検出手段によって前記データから前記欠陥が検出されず、かつ前記第１の計数工程によって計測された時間が前記オフセット時間より短いとき、前記前記制御手段は、他の前記基地局からの前記データに対する前記逆拡散手段、前記合成手段、及び前記復号手段による処理を停止することを特徴とする。
【００２１】
請求項８記載の発明は、請求項７記載の携帯端末制御方法において、前記合成手段、前記復号手段、前記検出手段、及び前記選択合成手段の処理に要する時間を計測する第２の計測工程と、前記検出手段によって前記データから前記欠陥が検出されず、かつ第２の計測工程において計測された時間が前記オフセット時間より短いとき、前記制御手段は、前記合成手段、及び前記復号手段による処理を停止することを特徴とする。
【００２２】
請求項９記載の発明は、請求項７又は８記載の携帯端末制御方法において、前記復号手段、前記検出手段、及び前記選択合成手段の処理に要する時間を計測する第３の計測工程と、前記検出手段によって前記データから前記欠陥が検出されず、かつ前記第３の計数工程によって計測された時間が前記オフセット時間より短いとき、前記制御手段は、前記復号手段による処理を停止することを特徴とする。
【００２３】
請求項１０記載の発明は、請求項７から９のいずれか１項記載の携帯端末制御方法において、前記データは、その順序を示すシーケンス番号を有し、前記検出手段は、前記シーケンス番号から前記欠陥を検出することを特徴とする。
【００２４】
請求項１１記載の発明は、請求項７から１０のいずれか１項記載の携帯端末制御方法において、前記検出手段によって前記欠陥が検出されたとき、前記制御手段は、前記全ての手段における処理を再開することを特徴とする。
【００２５】
請求項１２記載の発明は、請求項７から１１のいずれか１項記載の携帯端末制御方法において、前記検出手段は、前記欠陥を所定時間監視することを特徴とする。
【発明の効果】
【００２６】
本発明は、復号処理を終えてＲＬＣに送られてきたデータに付加されているヘッダの番号が連続しているか否かを監視し、所定時間の監視の結果、ヘッダの番号に欠陥が無かったことを検出し、その検出結果及び受信信号とパイロット信号の拡散符号との相関を取ることにより検出されたマルチパスのタイミングから各フィンガでどの基地局からデータを受信するかを決定することにより、ある基地局から送信されてきた選択合成受信中の信号の品質が良く、データに欠陥が無い場合、他の基地局から送信されてくるデータの逆拡散、ＲＡＫＥ受信、復号処理の停止により、該処理に要する電力を低減することができる。
【発明を実施するための最良の形態】
【００２７】
本発明は、復号処理を終えてＲＬＣに送られてきたデータに付加されているヘッダの番号が連続しているか否かを監視し、所定時間の監視の結果、ヘッダの番号に欠陥が無かったことを検出し、その検出結果及び受信信号とパイロット信号の拡散符号との相関を取ることにより検出されたマルチパスのタイミングから各フィンガでどの基地局からデータを受信するかを決定することにより、データの逆拡散、ＲＡＫＥ受信、復号処理の停止により、該処理に費やされる電力を低減する。
【実施例】
【００２８】
図１は、同報配信サービスからのデータを受信できる本発明の実施形態に係る携帯端末装置の回路構成を表すブロック図である。
【００２９】
本実施形態に係る携帯電話装置は、フィンガ１１（ａ〜ｎ）、セレクタ１２、ＲＡＫＥ加算器（１３ａ、１３ｂ）、復号器（１４ａ、１４ｂ）、ＲＬＣ１５、検出回路１６、受信制御回路１７、及びパスサーチ回路１８を有している。
【００３０】
フィンガ１１（ａ〜ｎ）は、受信制御回路１７により指定されたタイミングで拡散符号を受信信号に乗算することにより、基地局２１及び基地局２２から受信した受信信号（マルチパス波）を逆拡散する回路である。
【００３１】
セレクタ１２は、受信制御回路１７により指定された拡散符号及びパスサーチ回路１８により検出されたタイミングにより、フィンガ１１（ａ〜ｎ）において逆拡散した受信信号をＲＡＫＥ加算器（１３ａ、１３ｂ）へ送信する回路である。
【００３２】
無線通信では、送信側から受信側に直接届く電波の他に、地上の構造物等で反射した電波が遅れて届く現象（マルチパス現象）が発生し、遅延波の干渉が通信品質を低下させる要因となる。そのため、ＲＡＫＥ加算器（１３ａ、１３ｂ）により、逆拡散されたマルチパス現象による複数の受信信号（マルチパス波）を合成することにより通信品質を改善している。具体的には、ＲＡＫＥ加算器（１３ａ、１３ｂ）は、セレクタ１２を介して各フィンガから受信した同一基地局からのデータが同相加算されるようにタイミングを合わせて加算する回路である。なお、ＲＡＫＥ加算器（１３ａ、１３ｂ）では、ある受信信号の強度がフェージングにより低下した場合でも、強度が高い他の遅延波により復調できるため、フェージングの影響を低減できる。
【００３３】
復号器（１４ａ、１４ｂ）は、ＲＡＫＥ加算器（１３ａ、１３ｂ）により同相加算されたデータを復号する回路である。
【００３４】
ＲＬＣ１５は、復号器（１４ａ、１４ｂ）において復号されたデータを一定期間保持し、データに付加されているヘッダ情報を元にデータの選択合成処理を行う。具体的には、例えば、復号器１４ａから受信したデータに欠陥があった場合、送れて送られてくる復号器１４ｂから受信したデータの該当する部分により補う。仮に、復号器１４ｂから送れて受信したデータによって欠陥を補うことができないときは、欠陥を補わずに検出回路１６へ入力される。一方、両復号器から受信したデータに欠陥ないときは、一方のデータを破棄する。
【００３５】
検出回路１６は、ＲＬＣ１５において選択合成処理されたデータが有する欠陥が所定期間検出されなかったこと、又はＲＬＣ１５において選択合成処理されたデータに欠陥があったことを検出し、受信制御回路１７へ通知する回路である。
【００３６】
受信制御回路１７は、検出回路１６における検出結果、及びパスサーチ回路１８において検出されたマルチパスのタイミングから各フィンガでどの基地局からデータを受信するかを制御する。また、基地局２１からのデータを受信したタイミングと基地局２２からデータを受信したタイミングの差（以下、基地局オフセットとする）を検出し、基地局オフセットによりフィンガ、ＲＡＫＥ加算器１３ｂ、復号器１４ｂ、及びＲＬＣ１５におけるデータの処理の停止・再開を制御する。さらに、基地局２１からのデータを逆拡散するフィンガからのデータをＲＡＫＥ加算器１３ａへ、基地局２２からのデータを逆拡散しているフィンガからのデータをＲＡＫＥ加算器１３ｂへ送信されるようにセレクタ１２を制御する。
【００３７】
パスサーチ回路１８は、受信信号とパイロット信号の拡散符号との相関を取ることにより、受信信号（マルチパス波）と拡散符号とを乗算するタイミングを検出する回路である。
【００３８】
なお、本実施携帯に係る携帯端末装置は、図２に示すように携帯端末装置２３が基地局２２及び基地局２３の境界付近において、基地局２１及び基地局２２からの信号を同時に受信する。
【００３９】
図３は、携帯端末装置２３が基地局の境界付近にあるときに複数の基地局からデータの受信を表したものである。図３に示す例において、携帯端末装置２３は、基地局２１及び基地局２２から同じデータを受信している。しかし、基地局２２からのデータは基地局２１からのデータよりも送れて受信されている。
【００４０】
図４は、図１に示したフィンガ１１（ａ〜ｎ）の構成を示すブロック図である。フィンガ１１（ａ〜ｎ）は、パイロットチャンネル用符号生成器４１、データチャンネル用符号生成器４２、及びチャンネル推定回路４３を有している。
【００４１】
パイロットチャンネル用符号生成器４１は、受信制御回路１７から拡散符号を受信したタイミングで、パイロット信号と拡散符号とを乗算することによりパイロット信号を逆拡散する。データチャンネル用符号生成器４２は、受信制御回路１７から拡散符号を受信したタイミングで、受信信号と拡散符号とを乗算することにより受信信号を逆拡散する。チャンネル推定回路４３は、逆拡散されたパイロット信号を用い、受信信号が受けたフェージング等による影響をキャンセルする処理（以下、チャンネル推定とする）を実行する。
【００４２】
次に、図５を用い本実施形態に係る携帯端末装置２３のデータ受信処理について説明する。
【００４３】
携帯端末装置２３が基地局２１のエリア内で共通チャンネルによるＭＢＭＳによるデータを受信中に、該携帯端末装置２３が基地局２１と基地局２２との境界（図２に示す）に位置すると、携帯端末装置２３は、受信信号の品質劣化を回避するため基地局２１及び基地局２２から同じデータの受信信号の受信を開始する（ステップＳ５０１）。ここで、基地局２１からのデータの受信信号は、フィンガ１１（ａ〜ｎ）、セレクタ１２、ＲＡＫＥ加算器１３ａ、復号器１４ａを経てＲＬＣ１５へ入力される。そして、ＲＬＣ１５へ基地局２１からのデータが所定期間以上入力されると、ＲＬＣ１５において該データは、選択合成処理を受け、検出回路１６に入力される。検出回路１６は、ＲＬＣ１５において選択合成処理されたデータが欠陥を有しているか否かを検出する（ステップＳ５０２）。なお、データの欠陥の有無は、データに付加されているヘッダの内容の確認により行う。ヘッダには、連続した番号が割り振られており、データの欠陥が無ければ、ヘッダの内容は連続した番号となっている。
【００４４】
基地局２１からのデータに欠陥がなかった場合（ステップＳ５０２／ＹＥＳ）、検出回路１６は、基地局２１からのデータに欠陥が無かった旨の情報を受信制御回路１７へと送信する。該情報を受けた受信制御回路１７は、基地局２１からのデータ基地局２２との基地局間オフセットを確認し、処理を停止する回路を決定する（ステップＳ５０３、ステップＳ５０５、ステップＳ５０７）。基地局間オフセットに関らず基地局２２からのデータの受信を停止してしまうと、基地局間オフセットの値によって基地局２１からのデータに欠陥を検出してから基地局２２からのデータの受信を再開しても欠陥したデータの受信に間に合わないためである。具体的には、基地局間オフセットが基地局２２からデータを受信するフィンガ１１、ＲＡＫＥ加算器１３ｂ、復号器１４ｂ、及びＲＬＣ１５における処理にかかる時間の合計よりも大きい場合（ステップＳ５０３／ＹＥＳ）、受信制御回路１７は、基地局２２からのデータのフィンガでの逆拡散、ＲＡＫＥ加算器１３ｂ、復号器１４ｂ、ＲＬＣ１５における処理を停止する（ステップＳ５０４）。基地局間オフセットが上記の時間合計より短いが、ＲＡＫＥ加算器１３ｂ、復号器１４ｂ、ＲＬＣ１５における処理に要する時間よりも大きい場合（ステップＳ５０３／ＮＯ、ステップＳ５０５／ＹＥＳ）、受信制御回路１７は、ＲＡＫＥ加算器１３ｂ、復号器１４ｂ、ＲＬＣ１５での処理のみを停止する（ステップＳ５０６）。さらに基地局間オフセットが上記の時間合計より短いが、復号器１４ｂ及びＲＬＣ１５における処理に要する時間よりも大きい場合（ステップＳ５０５／ＮＯ、ステップＳ５０７／ＹＥＳ）、受信制御回路１７は、復号器１４ｂ及びＲＬＣ１５での処理を停止する。上記のいずれの時間合計よりも基地局間オフセットの方が小さい場合（ステップＳ５０７／ＮＯ）は、受信制御回路１７は、各回路における処理を停止しない。
【００４５】
上記のように基地局間オフセットの値に応じて基地局２２から受信したデータの処理の一部を停止した場合、ＲＬＣ１５には基地局２１からのデータである復号器１４ａからの復号結果のみが入力される（以下、この状態を選択合成受信待機状態とする）。選択合成受信待機状態において、検出回路１６は、復号器１４ａからＲＬＣ１５へ入力されたデータに欠陥が生じていないかを監視する（ステップＳ５０９）。検出回路１６がデータの欠陥を検出した場合（ステップＳ５０９／ＹＥＳ）、検出回路１６は、その情報を受信制御回路１７へと送信する。その情報を受信した受信制御回路１７は、基地局間オフセットに応じて停止されている基地局２２からのデータのフィンガでの逆拡散、ＲＡＫＥ加算器１３ｂ、復号器１４ｂの処理を再開させる（ステップＳ５１０）。
【図面の簡単な説明】
【００４６】
【図１】本発明の実施形態に係る携帯端末装置の回路構成を示すブロック図である。
【図２】携帯端末装置が基地局の境界付近に位置する状態を示す図である。
【図３】携帯端末装置が基地局の境界付近に位置ときに複数の基地局からデータの受信している状態を示す図である。
【図４】フィンガの回路構成を示すブロック図である。
【図５】本実施形態に係る携帯端末装置の受信動作を示すフローチャートである。
【符号の説明】
【００４７】
１１ａ〜１１ｎ    フィンガ
１２    セレクタ
１３ａ、１３ｂ    ＲＡＫＥ加算器
１４ａ、１４ｂ    復号器
１５    ＲＬＣ
１６    検出回路
１７    受信制御回路
１８    パスサーチ回路
２１、２２    基地局
２３    携帯端末装置
４１ａ    パイロットチャンネル用符号生成器
４２ａ    データチャンネル用符号生成器
４３ａ    チャンネル推定回路
【図１】
2006086658.tif 000003
【図２】
2006086658.tif 000004
【図３】
2006086658.tif 000005
【図４】
2006086658.tif 000006
【図５】
2006086658.tif 000007